(57)【要約】【課題】表示装置に付設されるパソコンの操作性の低下や、表示装置の設置スペースの増大を防止する。【解決手段】薄型の表示装置２の下方に、同じく薄型（つまり、奥行寸法が短い）の筐体３を配置し、該筐体３の内部にはパソコン等の情報処理装置４を収納しておく。この情報処理装置４は、１つの側面に操作部４ａ，４ｂが配置された細長い形状（つまり、操作部４ａ，４ｂの後方の寸法が長い形状）をしているが、該装置４を回転自在な載置台５に載せて水平面内で回転できるようにしておく。したがって、情報処理装置４を使用しない場合には収納状態とすることができて設置スペースを小さくでき、該装置４を使用する場合には図示のような回転位置にして操作部４ａ，４ｂを操作できる。【選択図】      図１
2004274408.tif 000002
【特許請求の範囲】
【請求項１】
画像を表示するための表示装置と、該表示装置を支持すると共に正面側が開口された筐体と、該筐体の内部に収納される情報処理装置と、を備え、該情報処理装置の情報に基く画像を形成する画像形成装置において、
前記筐体の内部には、前記情報処理装置を載置するための載置台が配置され、かつ、
該載置台は、略水平面内で回転できるように構成された、
ことを特徴とする画像形成装置。
【発明の詳細な説明】
【０００１】
【発明の属する技術分野】
本発明は、パソコン等の情報処理装置からの情報に基き画像を形成する画像形成装置に関する。
【０００２】
【従来の技術】
（１）    近年、背面投射型プロジェクタ装置などの種々の表示装置が様々な用途に用いられているが、設置スペースを小さくするというニーズから薄型化されている。
【０００３】
（２）    一方、このような表示装置にパソコンの情報を表示させて、会議やプレゼンテーションなどに使用するというニーズもある。かかる場合の表示装置は、大画面である必要があり、背面投射型プロジェクタ装置が有効である。なお、この背面投射型プロジェクタ装置は、光像を出射する映像源と、該光像を反射させる反射ミラーと、該反射された光像が投射されるスクリーンと、によって構成されている。
【０００４】
（３）    ところで、表示装置にパソコンの情報を表示させるには、パソコンなどの情報処理装置の情報を表示装置に送ってやる必要があることから、従来は図７や図８に示すように表示装置側のコネクト部１０１に情報処理装置としてのノート型パソコン１０２やタワー型パソコン１０３をハーネス１０４にて接続していた。なお、図８中の符号１０５はキーボードを示し、符号１０６はキーボード１０５をパソコン１０３に接続するためのハーネスを示し、図７及び図８中の符号１０７は机を示す。また、符号１００ａは画像表示部を示す。
【０００５】
しかし、情報処理装置を上述のような方法で接続し配置した場合には、
▲１▼  接続のためのハーネスが見苦しく邪魔である
▲２▼  情報処理装置の設置スペースを（表示装置の設置スペースとは別に）確保しておく必要があり、表示装置自体の設置スペースを小さくできても、情報処理装置を含めた設置スペースが増大してしまう
▲３▼  情報処理装置のセッティング及び取り外しなどの作業が必要となる、
等の問題があった。
【０００６】
そこで、このような問題を解消する方法として、表示装置１００を載置する部分１１０を筐体として、該筐体内に情報処理装置を収納する方法が考えられるが、タワー型パソコン１０３の場合、一の側面１０３ｃに操作部（例えば、フロッピディスクドライブやＣＤ−Ｒドライブ等の操作部）が配置されているのが一般的であり（図８の符号１０３ａ，１０３ｂ参照）、図９に示すように、操作部１０３ａ，１０３ｂが正面側になるように配置することが望まれる。なお、符号１１０ａは、筐体１１０の扉を示している。
【０００７】
【発明が解決しようとする課題】
図１０は、図９のＨ−Ｈ断面図であって、この図１０では図示下側が装置正面側になるが、タワー型パソコン１０３は、奥行寸法ｙ３の長い直方体形状をしていて（図８参照）、該パソコンの奥行寸法ｙ３は表示装置１００の厚み（図９の符号ｙ４参照）よりも大きいのが一般的である。したがって、
・  表示装置１００の厚みｙ４に応じて筐体１１０の奥行寸法ｙ１を小さくした場合には図９及び図１０のようにパソコン１０３を配置すること自体が難しく、・  タワー型パソコン１０３の奥行寸法ｙ３に合わせて筐体１１０の奥行寸法ｙ１を大きくした場合には（図９及び図１０のような配置は可能であるものの）設置スペース自体が増大してしまう、
という問題があった。
【０００８】
なお、表示装置１００の厚みｙ４に応じて筐体１１０の奥行寸法ｙ１を小さくし、タワー型パソコン１０３を横向きに（パソコン１０３の操作部１０３ａ，１０３ｂが横方向（つまり、画像面に沿った方向）を向くように）配置することも考えられるが、操作部１０３ａ，１０３ｂの操作性が悪くなって好ましくない。
【０００９】
そこで、本発明は、情報処理装置の操作性の悪化や設置スペースの増大を防止する画像形成装置を提供することを目的とするものである。
【００１０】
【課題を解決するための手段】
本発明は上記事情を考慮してなされたものであり、画像を表示するための表示装置と、該表示装置を支持すると共に正面側が開口された筐体と、該筐体の内部に収納される情報処理装置と、を備え、該情報処理装置の情報に基く画像を形成する画像形成装置において、
前記筐体の内部には、前記情報処理装置を載置するための載置台が配置され、かつ、
該載置台は、略水平面内で回転できるように構成された、ことを特徴とする。
【００１１】
【発明の実施の形態】
以下、図１乃至図５を参照して、本発明の実施の形態について説明する。ここで、図１及び図２は、本発明に係る画像形成装置の外観を示す斜視図であって、図１は、情報処理装置を引き出した状態を示す図であり、図２は、情報処理装置を収納した状態を示す図である。また、図３は、図１のＥ−Ｅ断面図であり、図４は、図２のＦ−Ｆ断面図である。さらに、図５は、図２のＧ−Ｇ断面図である。
【００１２】
本発明に係る画像形成装置は、図１及び図２に符号１で示すように、画像を表示するための表示装置２と、該表示装置２を支持すると共に正面側（画像を視認する方の側であって、図５に符号Ｆで示す方の側）が開口された筐体３と、該筐体３の内部に収納される情報処理装置４と、を備えており、該情報処理装置４の情報に基く画像を形成するように構成されている。そして、該情報処理装置４を載置するための載置台５が前記筐体３の内部に配置されており、該載置台５は略水平面内で回転できるように構成されている。
【００１３】
上述した載置台５は、図２及び図４に示すように前記情報処理装置４の操作部４ａ，４ｂが横方向（つまり、画像面に沿った方向）を向くような第１回転位置５Ａと、図１及び図３に示すように前記情報処理装置４の操作部４ａ，４ｂが正面側Ｆを向く（ここで、“操作部４ａ，４ｂが正面側Ｆを向く”とは、操作部４ａ，４ｂを有する面４ｃが画像面と略平行になる状態を意味するだけでなく、操作部４ａ，４ｂが正面側Ｆから操作できる程度に面４ｃが傾斜している状態をも意味するものとする）ような第２回転位置５Ｂと、を選択的に取るように構成されており、前記載置台５を第１回転位置５Ａにした場合には、該載置台５や前記情報処理装置４が前記筐体３に収納されるように構成されている（図２及び図４参照）。したがって、前記載置台５を第２回転位置５Ｂにした場合には前記操作部４ａ，４ｂを操作することができる。例えば、該操作部４ａ，４ｂにフロッピディスクドライブやＣＲ−Ｒドライブの操作部を配置しているような場合にはフロッピディスクやＣＤの出し入れをすることができ、該操作部４ａ，４ｂに接続端子やスイッチ類を配置している場合にはそれらを利用することができる。そして、情報処理装置４の操作を行う場合には前記載置台５を第２回転位置５Ｂにし、操作を行わない場合には前記載置台５を第１回転位置５Ａにしておくと良い。
【００１４】
つまり、筐体３の内部空間は、横方向の寸法（前記表示装置２における画像面に沿った方向の寸法であって、図２に符号ｘ１で示す寸法）が奥行寸法（図２に符号ｙ１で示す寸法）よりも長くなるように設定され、前記情報処理装置４は、前記操作部４ａ，４ｂを有する面４ｃの幅（図２に符号ｙ２で示す部分）が奥行寸法（図２に符号ｘ２で示す部分）よりも短くなるように設定されており、しかも、
筐体３の奥行寸法ｙ１＞情報処理装置４の面４ｃの幅寸法ｙ２
となるように設定されている。
【００１５】
ところで、上述した載置台５の回転中心位置は偏心点（載置台５の図心に対して偏心した点）にし、しかも“操作部４ａ，４ｂが偏心点から離れる”ように前記情報処理装置４を載置すると良い。この状態で載置台５を回転させると、偏心点から遠く離れている操作部４ａ，４ｂは筐体３から大きく突出することとなり、操作部４ａ，４ｂの操作性が向上される。
【００１６】
また、上述した筐体３と載置台５との間、或いは該載置台５と前記情報処理装置４との間に、引き出し可能な移動台６を配置し、前記情報処理装置４が、前記第２回転位置５Ｂにある姿勢のままで正面側に引き出されるようにすると良い。これにより、操作部４ａ，４ｂの操作性をさらに向上させることができる。
【００１７】
上述した筐体３の開口には、該開口を開閉自在とする扉７を配置すると良い。そして、該扉７に前記載置台５が連動するようにし、該扉７を開けた場合には前記載置台５が第２回転位置５Ｂまで回動し、前記扉７を閉めた場合には前記載置台５が第１回転位置５Ａまで回動するようにすると良い。そのように構成すれば、扉７を開けただけで操作部４ａ，４ｂを操作することができ、操作性を向上することができる。
【００１８】
ところで、上記表示装置２としては、図５に示すように、光像Ｌを出力する光像出力手段２１と、該光像出力手段２１からの光像Ｌを反射させる反射手段２２と、該反射手段２２にて反射された光像が投射されるスクリーン部材２３と、を備えて、該スクリーン部材２３の背面側（矢印Ｒで示す側であって、前記反射手段２が配置されている側）から投射された光像を該部材２３の正面側（矢印Ｆで示す側）から視認するように構成された背面投射型プロジェクタ装置を挙げることができる。
【００１９】
次に、本実施の形態の効果について説明する。
【００２０】
本実施の形態によれば、情報処理装置４が回転されるように構成されているため、奥行寸法ｙ１が短くて設置スペースの小さな筐体３であっても情報処理装置４を所定位置に回転させて収納することができる。つまり、設置スペースの低減化及び情報処理装置４の収納を両立させることができる。また、該情報処理装置４を操作したい場合にはその操作部４ａ，４ｂが正面側Ｆを向くように回転させれば良く、操作性が阻害されることは無い。
【００２１】
【実施例】
以下、実施例に沿って本発明を更に詳細に説明する。
【００２２】
（実施例１）
本実施例では図１乃至図６に示す画像形成装置１を作製した。ここで、図６は、移動台等の構造を示す分解斜視図である。
【００２３】
本実施例では、図１及び図３に示すように、正面側Ｆが開口された筐体３を用い、その開口には開閉自在な扉７を配置した。そして、この筐体３の内部底面には図３及び図６に示すように、トレイ状のパソコン支持台１０をビス穴１０ａとビスとによって固定し、その上面側には、引き出し可能となるようにスライドレール１１，１１を介して前後移動台６を取り付けた。さらに、この前後移動台６の上面側には、回転自在となるように回転テーブル１２を介して回転支持台（載置台）５を取り付け、この回転支持台５にはタワー型パソコン（情報処理装置）４を載置した。
【００２４】
ところで、上述したスライドレール１１は、互いに摺動自在となる上側摺動部材と下側摺動部材とによって構成し、回転テーブル１２は、互いに回転自在となる上側回転部材１２Ｕと下側回転部材１２Ｄとによって構成した。そして、
・  下側摺動部材は不図示のビスを用いてパソコン支持台１０のビス穴（符号１０ｂ参照）に取り付け、
・  上側摺動部材（符号１１ａに示すビス穴参照）と下側回転部材とは不図示のビスを用いて前後移動台６のビス穴（符号６ａ参照）に取り付け、
・  上側回転部材１２Ｕ（符号１２ａに示すビス穴参照）は不図示のビスを用いて回転支持台５（符号５ａに示すビス穴参照）に取り付けた。
【００２５】
また、パソコン支持台１０の上面にはピン１０ｃやピン１０ｄを突設しておき、前後移動台６には長孔６ｂを形成しておき、組み付けられた状態でピン１０ｃが長孔６ｂに挿入されるようにした。さらに、前後移動台６の長孔６ｂの近傍には取っ手６ｃを取り付けた。またさらに、回転支持台５（長孔６ｂの近傍になる部分）には干渉板５ｂを垂下した。
【００２６】
なお、パソコン４のハーネス１３はコイルスプリング１４によって筐体側に引っ張り、ハーネス１３が前後移動台６や回転支持台５に干渉しないようにした。
【００２７】
筐体３の内部は上述のような構成としたが、その筐体３には、図５等に示すように背面投射型プロジェクタ装置（表示装置）２を載置した。その背面投射型プロジェクタ装置２は、映像源（光像出力手段）２１と、反射ミラー（反射手段）２２と、スクリーン２３とによって構成し、スクリーン２３の背面側Ｒから投射された光像を正面側Ｆから視認できるようにした。
【００２８】
いま、筐体３の扉７を開け（図４の符号Ｊ２参照）、取っ手６ｃを手前側に引っ張ると（図４の符号Ｉ２参照）、回転テーブル１２、回転支持台５、タワー型パソコン４が前後移動台６と共に引き出される。この間、前後移動台６は長孔６ｂにピン１０ｃが嵌った状態で移動するが、該ピン１０ｃは回転支持台５の干渉板５ｂと干渉し、回転支持台５が図４に符号Ｋ２で示す方向に回転して図３に示す状態になる。なお、ピン１０ｃが長孔６ｂの縁部に突き当たることにより前後移動台６の引き出しが阻止される。図３に示す状態では、フロッピディスクドライブやＣＤ−Ｒドライブが正面側を向くのでそれらの操作がし易くなる。
【００２９】
そして、取っ手６ｃを押し込み（図３の符号Ｉ１参照）、回転支持台５をＫ１方向に回転させると、パソコン４を筐体内に収納することができる。
【００３０】
【発明の効果】
以上説明したように、本発明によると、情報処理装置が回転されるように構成されているため、奥行寸法が短くて設置スペースの小さな筐体であっても情報処理装置を所定位置に回転させて収納することができる。つまり、設置スペースの低減化及び情報処理装置の収納を両立させることができる。また、該情報処理装置４を操作したい場合にはその操作部が正面側Ｆを向くように回転させれば良く、操作性が阻害されることは無い。
【図面の簡単な説明】
【図１】本発明に係る画像形成装置の外観を示す斜視図であって、情報処理装置を引き出した状態を示す図。
【図２】本発明に係る画像形成装置の外観を示す斜視図であって、情報処理装置を収納した状態を示す図。
【図３】図１のＥ−Ｅ断面図。
【図４】図２のＦ−Ｆ断面図。
【図５】図２のＧ−Ｇ断面図。
【図６】移動台等の構造を示す分解斜視図。
【図７】背面投射型プロジェクタ装置にノート型パソコンを接続した状態を示す模式図。
【図８】背面投射型プロジェクタ装置にタワー型パソコンを接続した状態を示す模式図。
【図９】従来の問題点を説明するための斜視図。
【図１０】図９のＨ−Ｈ断面図。
【符号の説明】
１            画像形成装置
２            背面投射型プロジェクタ装置（表示装置）
３            筐体
４            パソコン（情報処理装置）
４ａ，４ｂ    操作部
５            回転支持台（載置台）
５Ａ          第１回転位置
５Ｂ          第２回転位置
６            前後移動台（移動台）
２１          映像源（光像出力手段）
２２          反射ミラー（反射手段）
２３          スクリーン部材
Ｆ            正面側
【図１】
2004274408.tif 000003
【図２】
2004274408.tif 000004
【図３】
2004274408.tif 000005
【図４】
2004274408.tif 000006
【図５】
2004274408.tif 000007
【図６】
2004274408.tif 000008
【図７】
2004274408.tif 000009
【図８】
2004274408.tif 000010
【図９】
2004274408.tif 000011
【図１０】
2004274408.tif 000012